(57)【要約】【課題】安全に点灯するための種々の情報が記録されるＩＣタグを有する放電ランプにおいて、給電線や発光管に過剰な負荷が加わることなしに、ＩＣタグを所要の位置に配置した状態で点灯装置に装着することができる放電ランプおよびこの放電ランプを備えた光源装置を提供する。【解決手段】本発明の放電ランプは、発光管11と、この発光管11内に互いに対向して配置された一対の電極と、前記電極に電力を供給するための給電線21および当該給電線21の先端に一体的に固定された給電端子22よりなる給電機構20と、ＩＣタグ40と、このＩＣタグ40を収納する絶縁材料よりなるホルダー30とを有する放電ランプにおいて、  前記ホルダー30は、前記給電機構20に、その給電線21若しくは給電端子22を回転軸として回転可能に設けられていることを特徴とする。【選択図】  図１
2010257679.tif 000002
【特許請求の範囲】
【請求項１】
発光管と、この発光管内に互いに対向して配置された一対の電極と、前記電極に電力を供給するための給電線および当該給電線の先端に一体的に固定された給電端子よりなる給電機構と、ＩＣタグと、このＩＣタグを収納する絶縁材料よりなるホルダーとを有する放電ランプにおいて、
前記ホルダーは、前記給電機構に、その給電線若しくは給電端子を回転軸として回転可能に設けられていることを特徴とする放電ランプ。
【請求項２】
前記ホルダーは、前記給電端子若しくはこの給電端子の近傍において前記給電線を回転可能に取り囲むよう配置されていることを特徴とする請求項１に記載の放電ランプ。
【請求項３】
前記ホルダーは、前記給電端子若しくは前記給電線を取り囲む円筒部および当該円筒部からその半径方向外方に突出する凸状部を有することを特徴とする請求項２に記載の放電ランプ。
【請求項４】
前記凸状部内にＩＣタグが収容されていることを特徴とする請求項３に記載の放電ランプ。
【請求項５】
請求項３または請求項４に記載の放電ランプと、この放電ランプを点灯させるための点灯装置とよりなり、
前記点灯装置は、前記放電ランプにおけるホルダーを受容する、当該ホルダーの端面形状に適合する装着部を有し、この装着部には、前記ホルダーが装着された状態で、ＩＣタグと交信するリーダ・ライタが設けられていることを特徴とする光源装置。
【発明の詳細な説明】
【技術分野】
【０００１】
本発明は放電ランプおよび光源装置に関し、更に詳しくは放電ランプに関する各種の情報が格納されたＩＣタグを備える放電ランプ、およびこの放電ランプを備えた光源装置に関する。
【背景技術】
【０００２】
半導体、液晶基板およびプリント基板等にパターン形成を行うための露光装置や、映写機、プロジェクターなどの光源としては、ショートアーク型の放電ランプが用いられている。露光装置の光源に用いられるショートアーク型の放電ランプとしては、発光管の内部に水銀と種々の希ガスとが封入されてなるものが知られており、一方、映写機やプロジェクターに用いられるショートアーク型の放電ランプとしては、発光管内に例えばキセノンガスなどの希ガスが封入されてなるものが知られている。
【０００３】
このような放電ランプにおいては、これを運搬したり、点灯装置に取り付けたりする際に、誤って大きな衝撃を与えると、放電ランプが破損若しくは故障することがある。また、破損や故障に至らない場合であっても、衝撃を受けたことによって放電ランプに微小な傷やクラックが生じたときには、放電ランプがその点灯中に破裂する原因となる。そして、放電ランプがその点灯中に破裂した場合には、発光管内の圧力が極めて高いことから、発光管の破片が放電ランプの周囲に猛烈な勢いで飛散するため、極めて危険である。
【０００４】
また、放電ランプが非常に高い温度で保管された場合には、発光管の保護部材が発光管の表面に貼り付いてしまうため、発光管から保護部材を取り外した後においても、保護部材の破片が発光管の表面に付着する。一方、放電ランプが非常に低い温度で保管された場合には、発光管の表面に、空気中の水蒸気が結露或いは凍結することにより、発光管に微小な水滴が付着する。このように、保護部材の破片や微小な水滴が発光管の表面に付着した状態で放電ランプを点灯させると、発光管における保護部材の破片や水滴が付着した部分が局所的に高温状態となるため、放電ランプが破裂するおそれがある。
【０００５】
このような理由から、放電ランプにおいては、その履歴情報等の情報を管理することが必要であり、放電ランプの給電線上に保持されたＩＣタグに、輸送、保管等に関わる種々のランプ情報が記録されたＩＣタグを備えた放電ランプが提案されている。
図７は、ＩＣタグを備えた従来の放電ランプの一例における構成を示す説明図である。この放電ランプ６０においては、略球状の発光部７１の両端に封止部７２が形成されてなり、内部に高圧ガスが封入された発光管７０を有し、発光管７０の封止部７２の各々には、発光部７１内において互いに対向するよう配置された一対の電極（図示省略）の各々に電気的に接続された口金７３が設けられている。この口金７３は、発光管７０の封止部７２が挿入される有底円筒状の口金本体７４と、この口金本体７４の底部から外方に突出する突出部７５とからなり、この突出部７５から給電線７６が引き出されおり、この給電線７６の先端には、いわゆる圧着端子よりなる給電端子７７が設けられている。そして、給電線７６における給電端子７７の近傍には、絶縁性の熱収縮性チューブ７８が固定されており、この熱収縮性チューブ７８内にＩＣタグ８０が収納され、このＩＣタグ８０の周囲には、点灯時におけるＩＣタグ８０への損傷を防止すると共に、ＩＣタグ８０への情報の読み書きすることができるように、シールド部７９が形成されている。
【０００６】
このような放電ランプ６０においては、輸送時に大きい衝撃が与えられたときの履歴情報、非常に高い若しくは低い温度で保管されたときの履歴情報や、梱包箱が開封されたときの履歴情報などの輸送・保管に関する履歴情報がＩＣタグ８０に記録される。そして、ＩＣタグ８０に記録された履歴情報などが、点灯装置（図示省略）に設けられたリーダ・ライタ８５により読み出され、読み出された情報を参照して、放電ランプ６０の点灯の可否が判断される。
この放電ランプ６０によれば、当該放電ランプ６０の保管・輸送時や点灯中などの、製造段階から使用後までの全ての過程にわたって、個々の放電ランプ６０にの固有の情報を管理することができるので、これらの情報を参照することにより、当該放電ランプ６０を常に安全に点灯させることができる。
【先行技術文献】
【特許文献】
【０００７】
【特許文献１】特開２００８−２６９９７６
【特許文献２】特開２００８−２６９９７７
【発明の開示】
【発明が解決しようとする課題】
【０００８】
しかしながら、上記の放電ランプ６０においては、以下のような問題があることが判明した。
リーダ・ライタ８５によってＩＣタグ８０から情報を読み出すためには、ＩＣタグ８０をリーダ・ライタ８５に対向して配置することが必要であり、両者の離間距離は十数ｍｍ程度である。然るに、ＩＣタグ８０をリーダ・ライタ８５に対して所定の離間距離で対向して配置した状態で、放電ランプ６０を点灯装置に装着する場合には、ＩＣタグ８０を収納する熱収縮性チューブ７８が給電線７６に固定されているため、給電線７６を捻じることにより、ＩＣタグ８０とリーダ・ライタ８５との位置合わせを行う必要があるため、放電ランプ６０の発光管７０に過剰な負荷が加わる結果、発光管７０が破損したり、給電線７６が捻じれた状態で放電ランプ６０を点灯することにより、給電線７６が発熱したりする、という問題がある。
【０００９】
本発明は、以上のような事情に基づいてなされたものであって、その目的は、安全に点灯するための種々の情報が記録されるＩＣタグを有する放電ランプにおいて、給電線や発光管に過剰な負荷が加わることなしに、ＩＣタグを所要の位置に配置した状態で点灯装置に装着することができる放電ランプおよびこの放電ランプを備えた光源装置を提供することにある。
【課題を解決するための手段】
【００１０】
本発明の放電ランプは、発光管と、この発光管内に互いに対向して配置された一対の電極と、前記電極に電力を供給するための給電線および当該給電線の先端に一体的に固定された給電端子よりなる給電機構と、ＩＣタグと、このＩＣタグを収納する絶縁材料よりなるホルダーとを有する放電ランプにおいて、
前記ホルダーは、前記給電機構に、その給電線若しくは給電端子を回転軸として回転可能に設けられていることを特徴とする。
【００１１】
本発明の放電ランプにおいては、前記ホルダーは、前記給電端子若しくはこの給電端子の近傍において前記給電線を回転可能に取り囲むよう配置されていることが好ましい。
このような放電ランプにおいては、前記ホルダーは、前記給電端子若しくは前記給電線を取り囲む円筒部および当該円筒部からその半径方向外方に突出する凸状部を有することが好ましく、この凸状部内にＩＣタグが収容されていることがより好ましい。
【００１２】
本発明の光源装置は、上記の放電ランプと、この放電ランプを点灯させるための点灯装置とよりなり、
前記点灯装置は、前記放電ランプにおけるホルダーを受容する、当該ホルダーの端面形状に適合する装着部を有し、この装着部には、前記ホルダーが装着された状態で、ＩＣタグと交信するリーダ・ライタが設けられていることを特徴とする。
【発明の効果】
【００１３】
本発明の放電ランプによれば、ＩＣタグが収納されたホルダーが、給電機構に、その給電線若しくは給電端子を回転軸として回転可能に設けられているため、リーダ・ライタに対するＩＣタグの位置合わせを行うときには、給電線若しくは給電端子に対してホルダーを回転させればよく、給電線を捻じる必要がないため、発光管や給電線に過剰な負荷を加わることを回避しながら、ＩＣタグを所要の位置に配置した状態で、放電ランプを点灯装置に装着することができる。
また、本発明の光源装置によれば、点灯装置には、放電ランプにおけるホルダーを受容する装着部が設けられており、この装着部にリーダ・ライタが設けられているため、ホルダーを点灯装置の装着部に装着することにより、リーダ・ライタに対するＩＣタグの位置合わせが達成されるので、リーダ・ライタに対するＩＣタグの位置合わせ作業が極めて容易である。
【図面の簡単な説明】
【００１４】
【図１】本発明の放電ランプを備えた光源装置の一例における要部の構成の概略を示す説明図である。
【図２】図１に示す放電ランプにおける給電機構およびホルダーを拡大して示す説明用断面図である。
【図３】ホルダーを構成するホルダー部品を示す説明図であり、（ａ）は側面図、（Ｂ）は正面図である。
【図４】点灯装置におけるホルダーの装着部を示す説明用断面図である。
【図５】点灯装置の装着部にホルダーが装着された状態を示す説明用断面図である。
【図６】給電機構およびホルダーの変形例を点灯装置の装着部と共に示す説明図であり、（ａ）は側面図、（ｂ）は上面断面図である。
【図７】ＩＣタグを備えた従来の放電ランプの一例における構成を示す説明図である。
【発明を実施するための形態】
【００１５】
以下、本発明の実施の形態について詳細に説明する。
図１は、本発明の放電ランプを備えた光源装置の一例における要部の構成の概略を示す説明図である。
この光源装置における放電ランプ１０は、略球状の発光部１２の両端に封止管部１３が形成されてなる石英ガラス製の発光管１１を有し、この発光管１１の発光部１２内には、一対の電極（図示省略）が互いに対向するよう管軸方向に沿って配置されている。また、発光管１１の発光部１２内には、水銀およびキセノンガスなどの希ガスが封入されている。
発光管１１の封止管部１３の各々には、円筒状の口金１４が設けられている。また、この例の放電ランプ１０においては、発光管１１における一方の封止管部１３には、発光部１２を取り囲むよう、楕円球面を有する集光反射鏡１６が設けられている。
【００１６】
口金１４の側面には、電極に電力を供給するための給電線２１が設けられ、この給電線２１の先端部には、図２に示すように、金属よりなる円筒状の給電端子２２が一体的に固定されて設けられており、給電線２１および給電端子２２によって給電機構２０が構成されている。給電端子２２は、その筒孔内の中央位置に隔壁２３が形成され、この隔壁２３によって、給電線２１の装着される一方の筒孔部２４および点灯装置の接続端子が挿入される他方の筒孔部２５が形成されている。図示の例では、給電端子２２の一方の筒孔部２４に、給電線２１の先端部が挿入されてかしめられることにより、当該給電線２１の先端部に給電端子２２が固定されている。また、給電端子２２の外周面の中央位置には、溝部２６が当該給電端子２２の周方向に沿って形成されている。
【００１７】
給電端子２２には、当該給電端子２２を回転軸として回転可能に取り囲むよう、ホルダー３０が配置されている。具体的に説明すると、ホルダー３０は、給電端子２２の外径より大きい内径を有する、当該給電端子２２の外周を取り囲む円筒部３１を有し、この円筒部３１の内周面における中央位置には、給電端子２２の溝部２６に適合する突条部３２が当該円筒部３１の周方向に沿って形成されており、この突条部３２が給電端子２２の溝部２６内に位置された状態で、当該給電端子２２を取り囲むよう配置されている。
また、ホルダー３０には、円筒部３１から半径方向外方に突出する凸状部３５が当該円筒部３１の軸方向に沿って形成され、この凸状部３５の内部に収容空間３６が形成されており、この収容空間３６内にＩＣタグ４０が収納されている。
【００１８】
図示の例のホルダー３０は、実際には、図３に示すように、互いに対称なホルダー部品３０Ａ，３０Ｂが重ね合わされて構成されている。具体的には、ホルダー部品３０Ａ，３０Ｂの各々には、円筒部３１を形成するための樋状部３１Ａ、３１Ｂおよび凸状部３５を形成するための凸状片部３５Ａ，３５Ｂよりなり、樋状部３１Ａ、３１Ｂの各々の内面には、突条部３２を形成するための突条片部３２Ａ，３２Ｂが形成され、凸状片部３５Ａ，３５Ｂの各々には、ＩＣタグ４０が収容される収容空間３６を形成するための凹所３６Ａ，３６Ｂが形成されている。そして、ホルダー部品３０Ａ，３０Ｂは、樋状部３１Ａ、３１Ｂの間に給電端子２２が配置された状態で互いに重ね合わされ、凸状片部３５Ａ，３５Ｂの各々の中央位置に形成されたネジ用穴３７Ａ，３７Ｂにネジが挿通されて固定されることにより、円筒部３１が給電端子２２を回転軸として回転可能に取り囲むよう、ホルダー３０が配置されている。
【００１９】
ホルダー３０の材質としては、絶縁性の高いアルミナなどの金属酸化物や、ポリブチレンテレフタレート樹脂などの樹脂材料を用いることが好ましい。
このような材料によってホルダー３０を形成することにより、点灯装置から給電線２１に大電流が供給されることにより、当該給電線２１の周囲にノイズが発生した場合にも、このノイズはホルダー３０によって遮蔽されるので、ＩＣタグ４０に故障が生じることを防止することができる。
【００２０】
ホルダー３０における凸状部３５の収容空間３６内に収容されたＩＣタグ４０には、放電ランプ１０のランプ情報、輸送・保管情報、点灯履歴情報などが記録されている。
ここで、ランプ情報としては、ランプ型式、シリアル番号、定格ランプ電圧、定格ランプ電流、定格電力などが挙げられる。
輸送・保管情報としては、出荷先、輸送時間、輸送方法、保管温度履歴、ランプに加わった衝撃情報などが挙げられる。
点灯履歴情報としては、積算点灯時間、点灯回数、点灯装置番号などが挙げられる。
【００２１】
上記の放電ランプ１０は、口金１４が光源装置の点灯装置における固定板５０にセットされ、ホルダー３０が固定板５０に設けられた装着部５１に装着されている。また、点灯装置には、ＩＣタグ４０と交信してこれに情報の読み書きを行うリーダ・ライタ５５が設けられており、ホルダー３０が装着部５１に装着されることにより、ＩＣタグ４０がリーダ・ライタ５５に対向するよう配置される。
具体的に説明すると、装着部５１は、図４に示すように、ホルダー３０の端面形状に適合する筒孔５１Ｈを有する底有筒状の形状を有し、この装着部５１の底部には、給電端子２２の他方の筒孔部２５に適合する先端部５３を有する接続端子５２が、装着部５１の軸方向に沿って配置されている。また、装着部５１の外周面には、ホルダー３０が装着された状態においてＩＣタグ４０が対向する位置に、リーダ・ライタ５５が設けられている。  そして、図５に示すように、ホルダー３０が装着部５１に受容されて装着されることにより、ＩＣタグ４０がリーダ・ライタ５５に対向するよう配置されると共に、給電端子２２の他方の筒孔部２５に接続端子５２が挿入され、これにより、放電ランプ１０と点灯装置との電気的接続が達成される。
【００２２】
上記の放電ランプ１０によれば、ＩＣタグ４０が収納されたホルダー３０が、給電機構２０における給電端子２２に、当該給電端子２２を回転軸として回転可能に設けられているため、リーダ・ライタ５５に対するＩＣタグ４０の位置合わせを行うときには、給電端子２２に対してホルダー３０を回転させればよく、給電線２１を捻じる必要がないため、発光管１１や給電線２１に過剰な負荷を加わることを回避しながら、ＩＣタグ４０を所要の位置に配置した状態で、放電ランプ１０を点灯装置に装着することができる。
また、上記の光源装置によれば、点灯装置には、放電ランプ１０におけるホルダー３０を受容する装着部５１が設けられており、この装着部５１にリーダ・ライタ５５が設けられているため、ホルダー３０を点灯装置の装着部５１に装着することにより、リーダ・ライタ５５に対するＩＣタグ４０の位置合わせが達成されるので、リーダ・ライタ５５に対するＩＣタグ４０の位置合わせ作業が極めて容易である。
【００２３】
以上、本発明の実施の形態について説明したが、本発明においては、上記の実施の形態に限定されず、種々の変更を加えることが可能である。
図６は、給電機構およびホルダーの変形例を点灯装置の装着部と共に示す説明図であり、（ａ）は側面図、（ｂ）は上面断面図である。
この例の給電機構２０は、給電線２１の先端部に一体的に固定されて設けられた給電端子２２が、金属よりなる円板状の中心に貫通孔２１Ｈが形成された，いわゆる圧着端子よりなるものである。給電線２１における給電端子２２の近傍には、当該給電線２１を回転軸として回転可能に取り囲むよう、ホルダー３０が配置されている。具体的に説明すると、ホルダー３０は、給電線２１の外径より大きい内径を有する、当該給電線２１の外周を取り囲む円筒部３１を有し、この円筒部３１から半径方向外方に突出する凸状部３５が当該円筒部３１の軸方向に沿って形成され、この凸状部３５の内部に収容空間３６が形成されており、この収容空間３６内にＩＣタグ４０が収納されている。
【００２４】
点灯装置における装着部５１は、ホルダー３０の端面形状に適合する筒孔５６Ｈを有する筒状の装着部本体５６を有し、この装着部本体５６の先端には、給電端子２２を固定して保持する板状の端子保持部５７が設けられている。また、装着部本体５６の外周面には、ホルダー３０が装着された状態においてＩＣタグ４０が対向する位置に、リーダ・ライタ５５が設けられている。
そして、ホルダー３０が装着部本体５６に受容されて装着されることにより、ＩＣタグ４０がリーダ・ライタ５５に対向するよう配置されると共に、給電端子２２が端子保持部５７上に配置されてネジ５８によって固定されている。
【００２５】
このような構成によれば、ＩＣタグ４０が収納されたホルダー３０が、給電機構２０における給電線２１に、当該給電線２１を回転軸として回転可能に設けられているため、リーダ・ライタに対するＩＣタグ４０の位置合わせを行うときには、給電線２１に対してホルダー３０を回転させればよく、給電線２１を捻じる必要がないため、放電ランプの発光管や給電線に過剰な負荷を加わることを回避しながら、ＩＣタグ４０を所要の位置に配置した状態で、放電ランプを点灯装置に装着することができる。
また、点灯装置には、放電ランプ１０におけるホルダー３０を受容する装着部５１が設けられており、この装着部５１にリーダ・ライタ５５が設けられているため、ホルダー３０を点灯装置の装着部５１に装着することにより、リーダ・ライタ５５に対するＩＣタグ４０の位置合わせが達成されるので、リーダ・ライタ５５に対するＩＣタグ４０の位置合わせ作業が極めて容易である。
【符号の説明】
【００２６】
１０  放電ランプ
１１  発光管
１２  発光部
１３  封止管部
１４  口金
１６  集光反射鏡
２０  給電機構
２１  給電線
２１Ｈ  貫通孔
２２  給電端子
２３  隔壁
２４  一方の筒孔部
２５  他方の筒孔部
２６  溝部
３０  ホルダー
３０Ａ，３０Ｂ  ホルダー部品
３１  円筒部
３１Ａ，３１Ｂ  樋状部
３２  突条部
３２Ａ，３２Ｂ  突条片部
３５  凸状部
３５Ａ，３５Ｂ  凸状片部
３６  収容空間
３６Ａ，３６Ｂ  凹所
３７Ａ，３７Ｂ  ネジ用穴
４０  ＩＣタグ
５０  固定板
５１  装着部
５１Ｈ  筒孔
５２  接続端子
５３  先端部
５５  リーダ・ライタ
５６  装着部本体
５６Ｈ  筒孔
５７  端子保持部
５８  ネジ
６０  放電ランプ
７０  発光管
７１  発光部
７２  封止部
７３  口金
７４  口金本体
７５  突出部
７６  給電線
７７  給電端子
７８  熱収縮性チューブ
７９  シールド部
８０  ＩＣタグ
８５  リーダ・ライタ
【図１】
2010257679.tif 000003
【図２】
2010257679.tif 000004
【図３】
2010257679.tif 000005
【図４】
2010257679.tif 000006
【図５】
2010257679.tif 000007
【図６】
2010257679.tif 000008
【図７】
2010257679.tif 000009